(57)【特許請求の範囲】
【請求項１】
先端側の内周面に、より小径であって所定の等級を備える小径管状部材が嵌合され所定の外形を備え液体が流通する医療器具用管状部材において、該内周面を嵌合部とすると共に、嵌合可能な該小径管状部材の該等級を視覚によって識別可能な形状を、該所定の外形を変えることなく該嵌合部に付与してなり、
前記識別可能な形状は、前記嵌合部の先端部の内周面に備えられた断面視多角形状の角筒部、複数のリブ、ローレット形状、該嵌合部の先端部の先端面に備えられた溝部からなる群から選択される１種の形状であることを特徴とする医療器具用管状部材。
【請求項２】
先端側の内周面に、より小径であって所定の等級を備える小径管状部材が嵌合され所定の外形を備え液体が流通する医療器具用管状部材において、該内周面を嵌合部とすると共に、嵌合可能な該小径管状部材の該等級を視覚によって識別可能な形状を、該所定の外形を変えることなく該嵌合部に付与してなり、
前記識別可能な形状は、前記嵌合部の先端部の内周面に備えられたローレット形状であり、
前記ローレット形状は、該嵌合部のうち該ローレット形状を除く部分よりも大径に形成されていることを特徴とする医療器具用管状部材。
【請求項３】
先端側の内周面に、より小径であって所定の等級を備える小径管状部材が嵌合され所定の外形を備える管状部材において、該内周面を嵌合部とすると共に、嵌合可能な該小径管状部材の該等級を視覚によって識別可能な形状を、該所定の外形を変えることなく該嵌合部に付与してなり、
前記嵌合部は基端側から先端側に向かって次第に拡径するテーパ部を備え、
前記識別可能な形状は、前記テーパ部の途中に設けられた周状の段部であることを特徴とする管状部材。
【請求項４】
先端側の内周面を嵌合部とし、前記嵌合部に小径管状部材が嵌合され液体が流通する医療器具用管状部材において、
前記嵌合部は、前記小径管状部材が嵌合する嵌合部分と、前記嵌合部分に嵌合可能な前記小径管状部材の等級を視覚により識別可能な形状が付与された識別部分とを有し、
前記識別部分は、前記嵌合部を形成する前記内周面のうち、前記嵌合部分よりも先端側に設けられ、且つ、前記医療器具用管状部材の軸線に対して垂直な断面における形状が前記嵌合部分とは異なっていることを特徴とする医療器具用管状部材。
【発明の詳細な説明】
【技術分野】
【０００１】
本発明は、先端部により小径の他の管状部材が嵌合される針基、カテーテルのコネクター等の管状部材に関する。
【背景技術】
【０００２】
医療器具等の分野において液体を流通するために用いられる管状部材では、先端側の内周面に設けられた嵌合部に、より小径の他の管状部材が嵌合されることにより、互いに径の異なる２つの管状部材が接合されることがある。
【０００３】
例えば、針基は、先端側の内周面に設けられた嵌合部に、外周面に接着剤を塗布した針管が嵌合されることにより、該接着剤を介して該針管と接合される（例えば特許文献１参照）。また、カテーテル等のチューブのコネクタは、先端側の内周面に設けられた嵌合部に、外周面に接着剤を塗布したチューブが嵌合されることにより、該接着剤を介して該チューブと接合される。
【０００４】
ここで、前記針管やチューブは微細な外径を備えるものが多く、例えば、注射針の針管では０．７〜０．９ｍｍ（２２〜２０Ｇ（ゲージ））、静脈留置針の針管では０．８０〜０．９７ｍｍ（２２〜２０Ｇ（ゲージ））である。また、吸引カテーテルのチューブ外径は２．０〜３．３３ｍｍ（６〜１０Ｆｒ．（フレンチサイズ））である。
【０００５】
一方、前記針管やチューブが嵌合される針基やコネクタの内周面も、前記外径に対応する径を備えている。
【０００６】
前記針基やコネクタのような管状部材は、その内周面の径をゲージまたはフレンチサイズ等の等級で表すことにより区別されるが、各等級の間で外径の差が小さいため、目視ではもちろんカメラ等の機器を用いても区別することが難しい。そこで、注射針や静脈留置針では、所定のカラーコードにより針基を色分けすることにより、前記等級毎に区別できるようにされている。
【先行技術文献】
【特許文献】
【０００７】
【特許文献１】実開昭５５−７８３４４号公報
【発明の概要】
【発明が解決しようとする課題】
【０００８】
しかしながら、製品として外部に現れない管状部材では前記色分けがなされていないので、製造工程においてより小径の管状部材を嵌合する際に、等級の異なる部材が混在すると確認することができないという不都合がある。前記製品として外部に現れない管状部材としては、例えば、誤穿刺防止を目的とした翼状針の内針基等を挙げることができる。前記内針基は、特定の等級の内針に対し、対応する等級のものでないときには、接着不良により脱落したり、詰まったりして不良品が発生する。
【０００９】
そこで、本発明は、かかる不都合を解消して、等級の異同を容易に確認することができる管状部材を提供することを目的とする。
【課題を解決するための手段】
【００１０】
かかる目的を達成するために、前記管状部材に等級に応じて異なる外形を付与し、該外形により視覚的に識別可能とすることが考えられる。しかし、前記管状部材は、製品に組み込まれる場合があり、その場合は他の部材との干渉等を避けるため、その外形は等級によらず同一であることが好ましく、等級に応じて異なる外形とすることには難がある。
【００１１】
そこで、本発明の医療器具用管状部材は、先端側の内周面に、より小径であって所定の等級を備える小径管状部材が嵌合され所定の外形を備え液体が流通する医療器具用管状部材において、該内周面を嵌合部とすると共に、嵌合可能な該小径管状部材の該等級を視覚によって識別可能な形状を、該所定の外形を変えることなく該嵌合部に付与してなり、
前記識別可能な形状は、前記嵌合部の先端部の内周面に備えられた断面視多角形状の角筒部、複数のリブ、ローレット形状、該嵌合部の先端部の先端面に備えられた溝部からなる群から選択される１種の形状であることを特徴とする。
【００１２】
本発明は、嵌合部の先端部の内周面に備えられた断面視多角形状の角筒部、複数のリブ、ローレット形状、該嵌合部の先端部の先端面に備えられた溝部からなる群から選択される１種の形状からなり、嵌合可能な小径管状部材の等級を視覚によって識別可能な形状が付与されている。
本発明の管状部材によれば、前記識別可能な形状が付与されているので、異なる等級のものが混在していても、目視或いはカメラ等により視覚的に識別することができる。また、本発明の管状部材によれば、前記形状は該管状部材の内周面に設けられた前記嵌合部に設けられるので、該管状部材の外形を変えることなく、該管状部材を識別することができる。
【００１３】
本発明の医療器具用管状部材は、前記形状が前記嵌合部の先端面に備えられた前記溝部であるときには、等級毎に該溝部の数を変えてもよい。
また、本発明の医療器具用管状部材は、先端側の内周面に、より小径であって所定の等級を備える小径管状部材が嵌合され所定の外形を備え液体が流通する医療器具用管状部材において、該内周面を嵌合部とすると共に、嵌合可能な該小径管状部材の該等級を視覚によって識別可能な形状を、該所定の外形を変えることなく該嵌合部に付与してなり、前記識別可能な形状は、前記嵌合部の先端部の内周面に備えられたローレット形状であり、前記ローレット形状は、該嵌合部のうち該ローレット形状を除く部分よりも大径に形成されていることを特徴とする。
【００１４】
また、本発明は、先端側の内周面に、より小径であって所定の等級を備える小径管状部材が嵌合され所定の外形を備える管状部材において、該内周面を嵌合部とすると共に、嵌合可能な該小径管状部材の該等級を視覚によって識別可能な形状を、該所定の外形を変えることなく該嵌合部に付与してなり、前記嵌合部は基端側から先端側に向かって次第に拡径するテーパ部を備え、前記識別可能な形状は、前記テーパ部の途中に設けられた周状の段部であることを特徴とする。前記周状の段部は、前記テーパ部の表面から突出して形成された突部でもよく、前記テーパ部に形成された溝部でもよい。
また、本発明の医療器具用管状部材は、先端側の内周面を嵌合部とし、前記嵌合部に小径管状部材が嵌合され液体が流通する医療器具用管状部材において、前記嵌合部は、前記小径管状部材が嵌合する嵌合部分と、前記嵌合部分に嵌合可能な前記小径管状部材の等級を視覚により識別可能な形状が付与された識別部分とを有し、前記識別部分は、前記嵌合部を形成する前記内周面のうち、前記嵌合部分よりも先端側に設けられ、且つ、前記医療器具用管状部材の軸線に対して垂直な断面における形状が前記嵌合部分とは異なっていることを特徴とする。
【００１５】
本発明の管状部材は、前記形状が前記テーパ部に備えられた前記周状の段部であるときに、等級毎に該段部の数を変えてもよい。また、本発明の管状部材は、等級毎に前記形状を異なるものとするときに、前記周状の段部を、前記角筒部、リブ、ローレット形状、溝部と組み合わせることにより、等級毎に異なる形状の１つとして用いてもよい。
【図面の簡単な説明】
【００１６】
【図１】（ａ）は本発明の管状部材の第１の実施形態を示す断面図、（ｂ）は（ａ）の正面図。
【図２】（ａ）は本発明の管状部材の第２の実施形態を示す断面図、（ｂ）は（ａ）の正面図。
【図３】（ａ）は本発明の管状部材の第３の実施形態を示す断面図、（ｂ）は（ａ）の正面図。
【図４】（ａ）は本発明の管状部材の第４の実施形態を示す断面図、（ｂ）は（ａ）の正面図。
【図５】（ａ）は本発明の管状部材の第５の実施形態を示す断面図、（ｂ）は（ａ）の正面図。
【図６】（ａ）は本発明の管状部材の第５の実施形態の変形例を示す断面図、（ｂ）は（ａ）の正面図。
【発明を実施するための形態】
【００１７】
次に、添付の図面を参照しながら本発明の実施の形態についてさらに詳しく説明する。
【００１８】
本実施形態の管状部材は、誤穿刺防止を目的とした翼状針の内針基であり、先端側の内周面に内針が嵌合されて接合された状態で、外針及び外針基に内挿される。前記内針基は、製品として外部に現れないのでカラーコードによる色分けがなされていない。この結果、製造工程において、特定のゲージの内針が嵌合されるときに、該内針に対応するゲージ以外の他のゲージの内針基が混在していると、その識別が困難になる。
【００１９】
そこで、図１（ａ）に示すように、本実施形態の管状部材は、先端側（矢示方向）の内周面に、より小径の管状部材としての図示しない内針が嵌合される内針基１ａであって、該内周面に嵌合部２を備えている。嵌合部２は基端側のテーパ部３とテーパ部３の先端側に連接する角筒部４とを備えている。前記内針は、外周面に接着剤が塗布された状態でテーパ部３に嵌合され、テーパ部３は接着剤溜まりを兼ねている。内針基１ａは、先端側から目視またはカメラで見たときに、図１（ｂ）に示すように角筒部４が正六角形状の断面形状であることにより識別することができる。
【００２０】
また、図１では、断面形状が正六角形状の角筒部４を示しているが、角筒部４の断面形状は正八角形状、正十角形状等、他の多角形状であってもよい。この場合、例えば内針の外径が２２Ｇであれば正六角形状、２１Ｇであれば正八角形状、２０Ｇであれば正十角形状というように、角筒部４の断面形状における多角形の頂角の数をゲージの等級に応じて異なるようにしてもよい。
【００２１】
また、図２（ａ）に示すように、図１に示す角筒部４に代えて、複数のリブ５を備える内針基１ｂとしてもよい。内針基１ｂは、先端側から目視またはカメラで見たときに、図２（ｂ）に示すようにリブ５の数が４個であることにより識別することができる。
【００２２】
また、図２では、リブ５の数が４個である例を示しているが、リブ５の数は６個、８個等であってもよい。この場合、例えば内針の外径が２２Ｇであれば４個、２１Ｇであれば６個、２０Ｇであれば８個というように、リブ５の数をゲージの等級に応じて異なるようにしてもよい。
【００２３】
また、図３（ａ）に示すように、図１に示す角筒部４に代えて、ローレット形状６を備える内針基１ｃとしてもよい。内針基１ｃは、先端側から目視またはカメラで見たときに、図３（ｂ）に示すようにローレット形状６により識別することができる。
【００２４】
また、図４（ａ）に示すように、図１に示す角筒部４に代えて、嵌合部２の先端面２ａに複数の溝部７を備える内針基１ｄとしてもよい。内針基１ｄは、先端側から目視またはカメラで見たときに、図４（ｂ）に示すように溝部７の数が４個であることにより識別することができる。
【００２５】
また、図４では、溝部７の数が４個である例を示しているが、溝部７の数は５個、６個等であってもよい。この場合、例えば内針の外径が２２Ｇであれば４個、２１Ｇであれば５個、２０Ｇであれば６個というように、溝部７の数をゲージの等級に応じて異なるようにしてもよい。
【００２６】
また、内針基１ｄでは、図４（ｂ）に示すように円弧状の溝部７を備えているが、溝部の形状は円弧状に限らず、先端面２ａに放射状に形成されたものであってもよい。
【００２７】
さらに、図５（ａ）に示すように、図１に示す角筒部４に代えて、テーパ部３の途中に表面から突出する周状突部８からなる段部を備える内針基１ｅとしてもよい。内針基１ｅは、先端側から目視またはカメラで見たときに、図５（ｂ）に示すようにテーパ部３の途中に周状突部８が存することにより識別することができる。
【００２８】
また、図５では、周状突部８の数が１個である例を示しているが、周状突部８の数は２個、３個等であってもよい。この場合、例えば内針の外径が２２Ｇであれば１個、２１Ｇであれば２個、２０Ｇであれば３個というように、周状突部８の数をゲージの等級に応じて異なるようにしてもよい。
【００２９】
また、図６（ａ）、（ｂ）に示すように、図５に示す周状突部８に代えて周状溝部９を備える内針基１ｆとしてもよく、内針基１ｅと同一の作用効果を得ることができる。
【００３０】
また、本実施形態では、ゲージの等級に応じて、角筒部４の断面形状における多角形の頂角の数、リブ５の数、溝部７の数、周状突部８または周状溝部９の数を異なるようにしているが、嵌合部２に設けられる形状を異なるようにしてもよい。この場合、例えば内針の外径が２２Ｇであれば角筒部４、２１Ｇであればローレット形状６、２０Ｇであれば周状突部８というようにすることができる。
【００３１】
また、周状突部８または周状溝部９は、角筒部４、リブ５、ローレット形状６、溝部７と組み合わせて用いてもよい。このようにすることにより、さらに多種多様な識別を可能とすることができる。
【００３２】
尚、本実施形態では、嵌合部２にテーパ部３を備える場合について説明しているが、内針基１ｅ，１ｆの場合を除き、テーパ部３は備えられていなくてもよい。また、本実施形態では、管状部材が内針基１ａ〜１ｆである場合について説明しているが、該管状部材は、先端側の内周面に、より小径の管状部材が嵌合される嵌合部を備えるものであれば、ルアーテーパ部を有する注射針、患者の体表に留置される留置針、あるいは吸引カテーテルのチューブのコネクタ等の他の管状部材であってもよい。
【符号の説明】
【００３３】
１ａ，１ｂ，１ｃ，１ｄ，１ｅ，１ｆ…内針基、  ２…嵌合部、  ３…テーパ部、  ４…角筒部、  ５…リブ、  ６…ローレット形状、  ７…溝部、  ８…周状突部、  ９…周状溝部。
【図１】
0005818401.tif 000002
【図２】
0005818401.tif 000003
【図３】
0005818401.tif 000004
【図４】
0005818401.tif 000005
【図５】
0005818401.tif 000006
【図６】
0005818401.tif 000007